(57)【要約】【課題】  落としたり盗まれた場合に不正に個人情報が引き出されないようにしたカメラ付き通信機器を提供する。【解決手段】  携帯機器４には第１記憶メモリ３３には画像データが記憶され、第２記憶メモリ４０には氏名、住所、生年月日等が記憶されている。第２記憶メモリ４０はメモリ制御回路４７によって読み出しが制御されている。予め登録されたプロテクトコードが携帯電話４に入力されると、第１記憶メモリ３３及び第２記憶メモリ４０からの個人情報の読み出しが禁止される。携帯電話４には、ＩｒＤＡを利用して通信するためＩｒＤＡインターフェース３８及び発光素子３５、受光素子３７が備えられている。また携帯電話４の電池が切れた場合に外部端末と通信するために無線タグ４２が備えられている。【選択図】        図２
2005094464.tif 000002
【特許請求の範囲】
【請求項１】
撮像素子からの画像信号を基にして画像を形成し、形成された画像を表示する表示画面と、外部と通信する通信手段とを備えたカメラ付き通信機器において、
前記画像を複数記憶する第１記憶メモリと、
持ち主の個人情報を記憶する第２記憶メモリと、
第２記憶メモリからの個人情報の読み出しを許可あるいは禁止する制御手段とを有し、
前記第１記憶メモリに記憶された複数の画像の中から個人認証のための暗証画像が予め選択されて登録されており、個人認証時に表示画面に並べて表示された複数の画像の中から暗証画像が選択された場合に、制御手段によって第２記憶メモリからの個人情報の読み出しが許可されることを特徴とするカメラ付き通信機器。
【請求項２】
前記カメラ付き通信機器に、前記第２記憶メモリからの個人情報の読み出しを禁止させるパスワードを記憶するパスワード記憶手段と、前記通信手段を介して外部から入力されたパスワードとパスワード記憶手段に記憶されたパスワードとを照合する照合手段とを設け、入力されたパスワードがパスワード記憶手段に記憶されたパスワードと一致した場合、前記制御手段によって前記第２記憶メモリからの前記個人情報の読み出しが禁止されることを特徴とする請求項１に記載のカメラ付き通信機器。
【請求項３】
前記カメラ付き通信機器は外部の発信器から所定の時間ごとに発信される電波を受信しており、所定の時間ごとに前記発信器からの電波を受信しない場合には、前記制御手段によって前記第２記憶メモリからの個人情報の読み出しが禁止されることを特徴とする請求項１または２に記載のカメラ付き通信機器。
【請求項４】
前記カメラ付き通信機器に、前記第２記憶メモリに記憶された前記個人情報を外部端末に無線送信する無線タグを設けたことを特徴とする請求項１ないし３にいずれか１つ記載のカメラ付き通信機器。
【請求項５】
前記カメラ付き通信機器に赤外線を利用して通信する赤外線通信手段を設け、前記第１メモリには予め持ち主の顔画像が記憶されており、前記赤外線通信手段を用いて表示画面の備えられた外部端末に顔画像を送信して外部端末の表示画面に顔画像を表示させることを特徴とする請求項１ないし４にいずれか１つ記載のカメラ付き通信機器。
【発明の詳細な説明】
【技術分野】
【０００１】
本発明は、画像を表示する表示画面と、電話回線を介して通信する通信手段とを有するカメラ付き通信機器に関し、さらに詳しくは撮像素子からの画像信号を基にして画像データを形成するカメラを備えたカメラ付き通信機器に関するものである。
【背景技術】
【０００２】
個人が契約などを交わしたり、物品の購入などを行う際、個人認証が行われることが多々ある。このような場合の個人認証では、運転免許証や保健康険証、学生証等が提示されて行われる。運転免許証や学生証やパスポート等の写真によって顔が照合され、また住所、生年月日、性別等が確認されていた。
【０００３】
しかし、運転免許証は全ての人が持っているとは限らず、運転免許証を持っていない人は健康保険証等を提示して個人認証を行うことになる。健康保険証は１世帯に１つしかなく、常に携帯することはできず、このためいつでも手軽に個人認証を行うことができなかった。このような不便さを解消するために特許文献１では携帯電話を使用した個人認証サービスの方法を示している。この文献では、サーバ装置に顔写真や生年月日等の個人情報を予め登録し、サーバと通信する携帯電話に登録された個人情報を送信し個人情報を携帯電話の表示画面に表示している。
【０００４】
【特許文献１】特開２００２−２０７８３８号公報
【発明の開示】
【発明が解決しようとする課題】
【０００５】
しかしながら、サーバから個人情報を読み出して携帯電話の表示画面に個人情報を表示するには時間がかかり、サーバの設置コストも高い。また、携帯電話は小型軽量であるため、なくしたり盗まれたりする危険性が非常に高い。特に携帯電話が盗まれた場合には、個人情報を記憶したサーバと通信して個人情報が勝手に見られたり盗まれたりする可能性がある。また、携帯電話の電池が切れた場合には表示画面に個人情報を表示できず、個人認証ができないという問題もある。
【０００６】
本発明は、上記の事情に鑑みてなされたものであり、その目的は落としたり盗まれた場合に不正に個人情報が引き出されないようにするとともに利便性を高めたカメラ付き通信機器を提供することにある。
【課題を解決するための手段】
【０００７】
上記の目的を達成するために本発明のカメラ付き通信機器では、撮像素子からの画像信号を基にして画像を形成し、形成された画像を表示する表示画面と、外部と通信する通信手段とを備えたカメラ付き通信機器において、前記画像を複数記憶する第１記憶メモリと、持ち主の個人情報を記憶する第２記憶メモリと、第２記憶メモリからの個人情報の読み出しを許可あるいは禁止する制御手段とを有し、前記第１記憶メモリに記憶された複数の画像の中から個人認証のための暗証画像が予め選択されて登録されており、個人認証時に表示画面に並べて表示された複数の画像の中から暗証画像が選択された場合に、制御手段によって第２記憶メモリからの個人情報の読み出しが許可されることを特徴とする。
【０００８】
また、前記カメラ付き通信機器には、前記第２記憶メモリからの個人情報の読み出しを禁止させるパスワードを記憶するパスワード記憶手段と、前記通信手段によって外部から入力されたパスワードと記憶手段に記憶されたパスワードとを照合する照合手段とを設け、入力されたパスワードがパスワード記憶手段に記憶されたパスワードと一致した場合、前記制御手段によって前記第２記憶メモリからの前記個人情報の読み出しが禁止されることを特徴とする。
【０００９】
また、前記カメラ付き通信機器は外部の発信器から所定の時間ごとに発信される電波を受信しており、所定の時間ごとに発信器からの電波を受信しない場合には、前記制御手段によって前記第２記憶メモリからの個人情報の読み出しが禁止されることを特徴とする。
【００１０】
また、前記カメラ付き通信機器に第２記憶メモリに記憶された前記個人情報を外部端末に無線送信する無線タグを設けたことを特徴とする。
【００１１】
また、前記カメラ付き通信機器には赤外線を利用して通信する赤外線通信手段を設け、前記第１メモリには予め持ち主の顔画像が記憶されており、前記赤外線通信手段を用いて表示画面の備えられた外部端末に顔画像を送信して外部端末の表示画面に顔画像を表示させることを特徴とする。
【発明の効果】
【００１２】
本発明の携帯機器によれば、不正に個人情報が読み取られることを防止しながら利便性の高いカメラ付き通信機器を提供することができる。また、カメラ付き通信機器の電池が切れた場合にも個人認証を行うこうができる。
【発明を実施するための最良の形態】
【００１３】
図１に本発明を実施した携帯電話の外観図を示す。携帯電話４の表側には、電話通信用のアンテナ８、相手の音声をユーザに伝える受話スピーカ１０、ユーザの音声を集音して相手に伝える送話マイク１２、画像を表示する液晶画面１３、ダイヤルボタン１４等が備えられている。携帯電話４の裏側（図示省略）には被写体を撮影するための撮影レンズが露呈しており、被写体の画像データを取得る。携帯電話の上部には赤外線通信用の発光素子３５と受光素子３７とが露呈し、外部の端末と無線通信するための無線タグ（図示省略）が携帯電話４の下部に備えられている。
【００１４】
図２に携帯電話４のブロック図を示す。第３者との通話では、アンテナ８に受信された音声信号は無線通信インターフェース（以降、無線通信Ｉ／Ｆと省略する）２５で復調され、音声回路２６を介して受話スピーカ１０に入力される。また送話マイク１２で集音された音は音声回路２６で音声信号に変換され、無線通信Ｉ／Ｆ２５でさらに変調されてアンテナ８から基地局に送信され相手に送られる。なお、携帯電話４の動作はＣＰＵ２３によって制御されている。
【００１５】
携帯電話４には被写体を撮影して画像データを取得するカメラが備えられている。携帯電話４の背面に備えられた撮影レンズ２８によって被写体の画像がＣＣＤイメージセンサ３０上に結像され、結像された画像が画像信号に光電変換される。画像信号はデータ処理回路３１でデジタル化され、Ｅｘｉｆ（Exchangeable Image File Format）形式の画像データが形成されて第１記憶メモリ３３に記憶される。第１記憶メモリには画像データを複数記憶することができ、これら複数の画像は個人認証に使用される。ユーザはこの複数の画像の中から予め個人認証用の暗証画像を選択して登録しておく。暗証画像を選択し登録すると、画像データに含まれたタグが書き換えられ、以降、暗証画像として認識されるようになる。第２記憶メモリ４０には、持ち主の氏名、住所、生年月日など、クレジットカードを代行するために必要な個人情報が記憶されている。
【００１６】
第１記憶メモリ３３に記憶された複数の画像は、個人認証時にＬＣＤドライバ３４によって液晶画面１３に並べて表示される。液晶画面１３に表示された複数の画像の中から選択された画像は画像照合回路５５で予め登録された暗証画像であるかが判定される。選択された画像が暗証画像と一致した場合、通常禁止されている第２記憶メモリ４０からの個人情報の読み出しが可能となる。
【００１７】
第２記憶メモリ４０はメモリ制御回路４７によって情報の読み出しが制御されており、通常は第２記憶メモリ４０に記憶された個人情報はメモリ制御回路４０によって読み出しが禁止されている。第２記憶メモリ４０に記憶された個人情報は、個人認証時に暗証画像が選択された場合に読み出しが許可される。なお、第１記憶メモリ３３、及び第２記憶メモリ４０はＥＥＰＲＯＭで構成されていおり、一度記憶したものは消去することができず、また記憶内容の変更もできない。
【００１８】
携帯電話４は電話回線によって外部と通信することが可能であるが、その他にも赤外線を利用したＩｒＤＡ（Infrared Data Asosiation）によって外部と通信を行うこともできる。発光素子３５からデータを外部端末へと送り、受光素子３７によって外部端末から送信されたデータを受信しており、ＩｒＤＡインターフェース３８によって送受信する信号の変調及び復調を行う。
【００１９】
携帯電話４には、携帯電話４の電池が切れても表示画面の備えられた外部端末と通信ができるように、無線タグ４２が備えられている。無線タグ４２に設けられたアンテナ部４３が外部端末からの電波を受信し、メモリ制御部４７の命令により、受信した電波を電力源として第２記憶メモリ４０に記憶された氏名、住所等の個人情報を読み出して無線タグ４２のアンテナ部４３から外部端末の無線タグリーダに送信する。このとき第１記憶メモリ３３に記憶された画像データは読み出されない。この無線タグ４２が備えられたことにより、携帯電話４の電池の残量が少ない場合、あるいは残量がない場合にも、外部端末と通信して外部端末の表示画面に個人情報を表示することができる。
【００２０】
パスワード記憶メモリ５０には、第２記憶メモリ４０からの個人情報の読み出しを禁止するためのパスワードが記憶されている。パスワードは持ち主によって予め登録されたものであり、固定電話回線あるいは携帯電話回線を介して携帯電話４にパスワードが入力されると、パスワード照合回路５２によってパスワード記憶メモリ５０に記憶されたパスワードと照合される。入力されたパスワードがパスワード記憶メモリ５０に記憶されたパスワードと一致すると、ＣＰＵ２３によって第２記憶メモリ４０からの個人情報の読み出しが禁止される。これにより個人認証時に暗証画像が選択された場合でも個人情報の読み出しは不可能となる。
【００２１】
図３に携帯電話４に第２記憶メモリ４０からの個人情報の読み出しを禁止するプロテクトを設定する場合の手順を示す。携帯電話４から個人情報が読み出せないようにするためにプロテクトを設定する場合、外部の電話のダイヤルボタンを操作して、携帯電話４の電話番号を入力し、次いでパスワードを入力する。携帯電話４の電源がＯＮされているとき、入力されたパスワードが予め登録されたパスワードと一致すれば携帯電話４にプロテクトが設定される。また、携帯電話４の電源がＯＦＦされているときは、基地局のサーバ内の伝言メッセンジャーにパスワードが記録され、携帯電話４のプロテクトが予約される。
【００２２】
図４に携帯電話４にプロテクトの設定が行われる際の携帯電話の動作のフローチャートを示す。携帯電話４がＯＮされ、外部の電話からの電話によりパスワードが入力された際、入力されたパスワードが登録されたパスワードと一致するとメモリ制御回路４７によって第２記憶メモリ４０からの個人情報の読み出しが禁止される。また、携帯緒電話４の電源がＯＮされると基地局のサーバにアクセスしてサーバの伝言メッセンジャーにプロテクトの予約がされているかが確認され、プロテクトの予約がされている場合には、伝言メッセンジャーに記録されたのパスワードを読み出して登録されたパスワードと一致するかがパスワード照合回路５２で判定され、一致した場合、第２記憶メモリ４０からの個人情報の読み出しが禁止される。
【００２３】
図５に携帯電話の液晶画面に複数の画像を表示して個人認証する場合のフローチャートを示す。携帯電話４の第１記憶メモリ３３に複数の画像を記録し、これら複数の画像の中から、持ち主を確認するための暗証画像を選択して予め登録しておく。個人認証が行われる際には、液晶画面１３に暗証画像を含んだ複数の画像が並べて表示され、表示された画像の中から選択された画像が暗証画像であるかが画像照合回路５５で判定され、暗証画像が選択された場合には第２記憶メモリ４０からの個人情報の読み出しがメモリ制御回路４７によって許可される。暗証画像が選択されなかった場合には、メモリ制御回路４７によって第２記憶メモリ４０からの個人情報の読み出しは禁止されたままである。
【００２４】
次に上記の携帯電話を利用してクレジットカードの代行を行う場合について図６のフローチャートを用いて説明する。クレジットで買い物を行った場合、店に備えられた端末に携帯電話４を近づける。このとき携帯電話４と端末とはＩｒＤＡによって通信を行い、第三者に情報を盗まれる可能性を低くするためお互いの距離を３０ｃｍ未満にする必要がある。
【００２５】
第１記憶メモリ３３には持ち主の顔画像を予め記憶しておき、記憶された顔画像データがＩｒＤＡインターフェース３８で変調されて発光素子３５から出力され、端末の受光部から入力された顔画像データ信号を基にして、端末の表示画面には持ち主の顔画像が表示される。
【００２６】
店員が端末の表示画面に表示された顔画像を見て持ち主を確認すると、第２記憶メモリ４０に記憶された個人情報を読み出してクレジットの処理が実行される。端末に示された顔画像を見て持ち主を確認できなければ、クレジットの処理は中断される。このように携帯電話４をクレジットカードの代わりに用い、識別情報として顔画像を端末の表示画面に表示させることで、クレジットを不正に利用した買い物を防止することができる。
【００２７】
図８のフローチャートに示すように、携帯電話４は、持ち主が身に付けた発信器から発信された確認電波を受信している。発信器からは所定の時間ごとに確認電波が発信されており、携帯電話４はこの時間間隔をカウントしている。もし、持ち主が身に付けた発信器からの確認電波を受信できずにカウントが所定時間を超えると、携帯電話４にプロテクトの設定が自動的に行われ、個人認証で暗証画像が選択されても第２記憶メモリ４０から個人情報を読み出すことはできない。このようにすることで携帯電話４のセキュリティをより強固なものにすることができる。
【００２８】
なお、上記の実施例ではカメラ付きの携帯電話に本発明を実施した例を示したが、これ以外にも本発明を実施してもよい。例えば、静止画や動画を撮影するデジタルカメラや、ＰＤＡ（Personal Digital Assistants ）に電話回線を介して通信する通信手段を設けて本発明を実施してもよい。
【００２９】
また、上記の実施例では第２記憶メモリにクレジットカードを代行するのに必要な情報を記憶させたが、これ以外の情報を記憶させてもい。例えば、運転免許証やパスポート、銀行口座番号等、第２記憶メモリ４０に記憶する内容は目的に応じて変えることで本発明のカメラ付き通信機器の使い道をひろげることができる。
【図面の簡単な説明】
【００３０】
【図１】本発明を実施した携帯電話の外観図である。
【図２】携帯電話のブロック図である。
【図３】携帯電話にプロテクトを設定する場合の送信側のフローチャートである。
【図４】携帯電話にプロテクトを設定する際の動作を示すフローチャートである。
【図５】個人認証の動作を示すフローチャートである。
【図６】携帯電話から外部端末に画像データを無線送信する動作を示すフローチャートである。
【図７】携帯電話が外部の発信機から発信される定期的な電波を受信せず、携帯電話の動作が禁止される場合のフローチャートである。
【符号の説明】
【００３１】
４    携帯電話
８    アンテナ
１３    液晶画面
２３    ＣＰＵ
３３    第１記憶メモリ
３８    ＩｒＤＡインターフェース
４０    第２記憶メモリ
４２    無線タグ
４７    メモリ制御回路
５０    パスワード記憶メモリ
５２    パスワード照合回路
５５    画像照合回路
【図１】
2005094464.tif 000003
【図２】
2005094464.tif 000004
【図３】
2005094464.tif 000005
【図４】
2005094464.tif 000006
【図５】
2005094464.tif 000007
【図６】
2005094464.tif 000008
【図７】
2005094464.tif 000009